(57)【要約】【課題】使用中の無線回線を強制切断することなく、誤載置のあった親機および無線子機のシステムＩＤを変更して、その無線子機が当該親機の無線子機として使用できるようにする。【解決手段】主装置１０の制御部１５は、内線伝送路１７を介して受信した親機３０からの通知に基づき、親機３０Ａと対となる無線子機４０Ａが親機３０Ａとは異なる親機３０Ｂに誤載置されたことを検出し、親機３０Ｂと対となる無線子機４０Ｂが未使用状態であることが確認された場合に、内線伝送路１７を介して親機３０Ｂへ新たなシステムＩＤへの変更を指示するとともに、内線伝送路１７を介して親機３０Ａへ無線子機４０Ａに対する新たなシステムＩＤへの変更を指示する。【選択図】        図１
2004260538.tif 000002
【特許請求の範囲】
【請求項１】
網からの電話回線に接続された主装置と、この主装置に内線伝送路を介して収容された複数の内線電話機とを備えるとともに、前記内線電話機として、前記主装置に前記内線伝送路を介して収容される親機と無線回線を介して対となる前記親機に接続される無線子機とからなり、対となる前記親機および無線子機間で個別のシステムＩＤを用いて無線通信を行うとともに、前記親機に前記無線子機を載置する載置場所が設けられた無線電話機を複数有し、前記電話回線と前記内線電話機との間を主装置で交換接続する電話システムであって、前記親機は、主装置からの指示に応じて自己のシステムＩＤを変更するとともに、主装置からの指示に応じて対となる無線子機へシステムＩＤの変更を指示する親機制御部を備え、
前記無線子機は、対となる親機からの指示に応じて自己のシステムＩＤを変更する無線子機制御部を備えることを特徴とする電話システム。
【請求項２】
請求項１に記載の電話システムにおいて、
前記主装置は、前記内線伝送路を介して受信した前記親機からの通知に基づき、第１の親機と対となる第１の無線子機が前記第１の親機とは異なる第２の親機に誤載置されたことを検出する誤載置検出手段と、前記第２の親機と対となる第２の無線子機が未使用状態であることを確認する状態確認手段と、前記誤載置検出手段で誤載置が検出され、かつ前記状態確認手段により前記第２の無線子機が未使用状態であることが確認された場合は、前記内線伝送路を介して前記第２の親機へ新たなシステムＩＤへの変更を指示するとともに、前記内線伝送路を介して前記第１の親機へ前記第１の無線子機に対する新たなシステムＩＤへの変更を指示するＩＤ変更指示手段とを有する制御部を備えることを特徴とする電話システム。
【請求項３】
請求項２に記載の電話システムにおいて、
前記無線子機は、前記親機への当該無線子機の載置をオンフック状態として検出する状態検出部をさらに備え、前記無線子機制御部は、この状態検出部でのオンフック状態の検出に応じて前記親機へ無線回線を介してオンフック検出を通知し、
前記親機は、当該親機への前記無線子機の載置有無を検出する載置検出部をさらに備え、前記親機制御部は、この載置検出部での載置あり検出に応じて前記主装置へ前記内線伝送路を介して載置あり検出を通知するとともに、前記無線回線を介した前記無線子機からの前記オンフック検出の通知に応じて前記主装置へ前記内線伝送路を介して子機オンフックを通知し、
前記主装置の誤載置確認手段は、前記内線伝送路を介して受信した前記載置あり検出通知と前記子機オンフック検出通知との通知元を比較し、その不一致に応じて、前記載置あり検出通知の通知元である前記第２の親機へ、前記子機オンフック検出通知の通知元である前記第１の親機と対となる前記第１の無線子機が誤載置されたことを検出することを特徴とする電話システム。
【請求項４】
請求項２に記載の電話システムにおいて、
前記ＩＤ変更指示手段は、システムＩＤ変更後の前記第１の無線子機が前記第２の親機に載置されない状態で未使用状態となった場合、前記内線伝送路を介して前記第２の親機へ、前記第１の無線子機の直前に対をなしていた無線子機のシステムＩＤの使用可を指示することを特徴とする電話システム。
【発明の詳細な説明】
【０００１】
【発明の属する技術分野】
本発明は、電話システムに関し、特に内線電話機として、親機と無線子機とからなる無線電話機を有する電話システムに関するものである。
【０００２】
【従来の技術】
網からの電話回線に接続された主装置と、この主装置に内線収容された複数の内線電話機とからなり、電話回線と内線電話機との間の呼を主装置で交換接続するボタン電話装置などの電話システムでは、内線電話機の一部または全部に無線電話機を用いる場合がある（例えば、特許文献１など参照）。
【０００３】
この種の無線電話機は、親機とその親機の上に載置されるハンドセット型の無線子機とから構成されている。一般的な内線電話機では、当該内線電話機とハンドセットとがカールコードにより有線で接続されているが、この種の無線電話機では、親機と無線子機との間が、予め設定された当該無線電話機に固有のシステムＩＤを用いた無線回線で接続されている。親機は、有線の内線伝送路で主装置と接続されており、主装置とデータ通信を行うことにより、一般的な内線電話機と同様の電話機能を提供する。
【０００４】
このような電話システムで用いられている無線電話機では、親機に無線子機を載置して充電などを行う充電台すなわち載置場所が設けられており、通常、未使用時には親機の載置場所に無線子機が載置されるものの、無線子機が親機と無線接続されているため、必要に応じて親機からある程度離れた場所へ無線子機を持ち運ぶことができる。
したがって、例えば、無線子機で通話中の利用者が他の部屋へ移動し、その移動先の部屋に設置されている他の親機に無線子機が載置されていない場合、終話に応じてその無線子機を移動先の親機上へ誤って載置する場合もある。
【０００５】
従来の電話システムでは、無線子機の誤載置が発生した場合、電話システムの主装置は、各無線子機が対となる親機に載置されていることを前提として制御しているため、次のような不具合が生ずる。
例えば、図１４では、親機Ａおよび無線子機Ａからなる無線電話機Ａと、親機Ｂおよび無線子機Ｂからなる無線電話機Ｂとが主装置に接続されており、無線子機Ａが親機Ｂ上に誤載置されているものとする（ステップ２００）。
この状態で網側から無線電話機Ｂに対する個別着信があった場合（ステップ２０１）、主装置は無線電話機Ｂに対応する親機Ｂへ着信を通知し（ステップ２０２）、これに応じて親機Ｂで着信表示が行われる（ステップ２０３）。
【０００６】
ここで、利用者が、親機Ｂへの着信に応答するため、親機Ｂのハンドセット、すなわち親機Ｂ上に誤載置されている無線子機Ａを取り上げた場合（ステップ２１０）、その無線子機４０Ａがオフフックを検出し（ステップ２１１）、元の親機Ａとの無線回線を介して親機Ａへオフフックを通知する（ステップ２１２）。これに応じて、親機Ａでは、無線子機Ａのオフフックを主装置へ通知し（ステップ２１３）、この通知に応じて、主装置は、無線電話機Ａには着信がないことから、無線子機Ａでのオフフックを発信要求と判断し、いずれか空き状態の電話回線を捕捉する（ステップ２１４）。なお、空き状態の電話回線がない場合、あるいは電話回線が１つの場合、主装置から親機Ａを介して無線子機Ａへビジートーンが通知される。
【０００７】
したがって、利用者が、親機Ｂへの着信へ応答しようとして、親機Ｂのハンドセットすなわち親機Ｂ上に誤載置されている無線子機を取り上げたにもかかわらず外線発信状態となるともに、親機Ｂへの着信表示が継続されるため、利用者は状況を理解できず混乱してしまう。
このような状況を回避するには、誤載置のあった親機と無線子機を同一のシステムＩＤに設定し、両者間での無線通信を可能とする必要がある。
【０００８】
従来、親機に対する無線子機の載置に応じて、その無線子機に対して親機のシステムＩＤを設定する方法が提案されている（例えば、特許文献２など参照）。これは、図１５に示すように、無線子機が親機上に載置されて充電が開始された場合（ステップ３００）、親機から無線子機へ有線通信でシステムＩＤを送信し（ステップ３０１）、無線子機で親機からのシステムＩＤと当該無線子機のシステムＩＤとを比較する（ステップ３０２）。
【０００９】
そして、両システムＩＤが一致していた場合（ステップ３０２：ＹＥＳ）、無線子機から親機へ無線通信で、システムＩＤの一致が確認できたことを示すＩＤ確認を通知する（ステップ３０３）。これにより、親機はシステムＩＤが一致していることを確認する。
また、無線子機でＩＤの一致が確認されなかった場合（ステップ３０２：ＮＯ）、無線子機はＩＤ確認を通知しない。これにより、親機はシステムＩＤ送付から所定時間経過してもＩＤ確認が通知されないため、システムＩＤ不一致と判断して、新たなシステムＩＤの設定を無線子機へ指示するとともに（ステップ３０４）、親機も新たなシステムＩＤを設定する（ステップ３０５）。これに応じて、無線子機は指示された新たなシステムＩＤを設定し（ステップ３０６）、両者のシステムＩＤが一致し無線通信が可能となる。
【００１０】
なお、出願人は、本明細書に記載した先行技術文献情報で特定される先行技術文献以外には、本発明に関連する先行技術文献を出願時までに発見するには至らなかった。
【００１１】
【特許文献１】
特開２０００−３５０２４３号公報
【特許文献２】
特開２００１−０５３８７３号公報
【００１２】
【発明が解決しようとする課題】
このようなシステムＩＤの設定方法は、無線子機が親機へ載置されたことによる親機から無線子機への充電開始に応じて、システムＩＤの確認および設定を行うものとなっているため、その親機が変更前のシステムＩＤを用いて元の無線子機と無線通信を行っていた場合、システムＩＤの変更に応じてその無線通信が確立しなくなり、元の無線子機が使用中の無線回線が強制切断されてしまう。
この際、無線電話機が単独で設置されている場合には、利用者が元の無線子機の未使用状態を容易に確認できることから、未使用状態でシステムＩＤの変更を行うことにより無線通信の切断を人為的に回避すればよい。
【００１３】
しかしながら、複数の無線電話機を内線電話機として複数の利用者が比較的広いエリアで共用するような電話システムでは、元の無線子機の使用状況を容易に確認できないことから、無線通信の切断が発生する可能性が比較的高く、上記のようなシステムＩＤの設定方法を電話システムに適用できないという問題点があった。
本発明はこのような課題を解決するためのものであり、複数の無線電話機を内線電話機として複数の利用者で共用するような場合でも、使用中の無線回線を強制切断することなく、誤載置のあった親機および無線子機のシステムＩＤを変更して、その無線子機が当該親機の無線子機として使用可能とすることができる電話システムを提供することを目的としている。
【００１４】
【課題を解決するための手段】
このような目的を達成するために、本発明にかかる電話システムは、網からの電話回線に接続された主装置と、この主装置に内線伝送路を介して収容された複数の内線電話機とを備えるとともに、内線電話機として、主装置に内線伝送路を介して収容される親機と無線回線を介して対となる親機に接続される無線子機とからなり、対となる親機および無線子機間で個別のシステムＩＤを用いて無線通信を行うとともに、親機に無線子機を載置する載置場所が設けられた無線電話機を複数有し、電話回線と内線電話機との間を主装置で交換接続する電話システムであって、親機に、主装置からの指示に応じて自己のシステムＩＤを変更するとともに、主装置からの指示に応じて対となる無線子機へシステムＩＤの変更を指示する親機制御部を設け、無線子機に、対となる親機からの指示に応じて自己のシステムＩＤを変更する無線子機制御部を設けたものである。
【００１５】
主装置の具体的構成として、主装置に、内線伝送路を介して受信した親機からの通知に基づき、第１の親機と対となる第１の無線子機が第１の親機とは異なる第２の親機に誤載置されたことを検出する誤載置検出手段と、第２の親機と対となる第２の無線子機が未使用状態であることを確認する状態確認手段と、この状態確認手段により第２の無線子機が未使用状態であることが確認された場合に、内線伝送路を介して第２の親機へ新たなシステムＩＤへの変更を指示するとともに、内線伝送路を介して第１の親機へ第１の無線子機に対する新たなシステムＩＤへの変更を指示するＩＤ変更指示手段とを有する制御部を設けてもよい。
【００１６】
誤載置を検出する具体的構成例として、無線子機に、親機への当該無線子機の載置をオンフック状態として検出する状態検出部をさらに設けて、無線子機制御部で、この状態検出部でのオンフック状態の検出に応じて親機へ無線回線を介してオンフック検出を通知し、親機に、当該親機への無線子機の載置有無を検出する載置検出部をさらに設けて、親機制御部で、この載置検出部での載置あり検出に応じて主装置へ内線伝送路を介して載置あり検出を通知するとともに、無線回線を介した無線子機からのオンフック検出の通知に応じて主装置へ内線伝送路を介して子機オンフックを通知し、主装置の誤載置確認手段で、内線伝送路を介して受信した載置あり検出通知と子機オンフック検出通知との通知元を比較し、その不一致に応じて、載置あり検出通知の通知元である第２の親機へ、子機オンフック検出通知の通知元である第１の親機と対となる第１の無線子機が誤載置されたことを検出するようにしてもよい。
【００１７】
また、ＩＤ変更指示手段で、システムＩＤ変更後の第１の無線子機が第２の親機に載置されない状態で未使用状態となった場合、内線伝送路を介して第２の親機へ、第１の無線子機の直前に対をなしていた無線子機のシステムＩＤの使用可を指示するようにしてもよい。
【００１８】
【発明の実施の形態】
次に、本発明の実施の形態について図面を参照して説明する。
図１は本発明の一実施の形態にかかる電話システムの構成を示すブロック図である。
この電話システムは、網からの１つ以上の電話回線１１に接続された主装置１０と、この主装置１０に内線収容された複数の無線電話機２０Ａ，２０Ｂ〜２０Ｎとから構成されており、主装置１０で、電話回線１１と無線電話機２０Ａ，２０Ｂ〜２０Ｎのいずれかの間における、例えば音声通話やデータ通信などの呼を交換接続する。
【００１９】
無線電話機２０Ａは、主装置１０と内線伝送路１７を介して接続された親機３０Ａと、この親機３０Ａと無線回線を介して接続されるハンドセット型の無線子機４０Ａとの対から構成されている。この親機３０Ａには、無線子機４０Ａを載置して充電などを行う充電台すなわち載置場所が設けられており、通常、未使用時には親機の載置場所に無線子機が載置される。
無線電話機２０Ａでは、予め設定された当該無線電話機２０Ａに固有のシステムＩＤを用いて親機３０Ａと無線子機４０Ａとの間で無線通信が行われる。また、無線電話機２０Ｂ〜２０Ｎの構成は、無線電話機２０Ａと同様であり、それぞれ親機３０Ｂ〜３０Ｎと無線子機４０Ｂ〜４０Ｎとの対から構成されている。
【００２０】
本発明では、各無線電話機２０Ａ〜２０Ｎからの通知に基づき、主装置１０で各無線電話機２０Ａ〜２０Ｎにおける無線子機の誤載置を確認した場合には、その親機３０と無線子機４０に対して新たなシステムＩＤを設定して、両者間での無線通信を可能とし、その無線子機４０を親機３０の無線子機として用いるようにしたものである。
【００２１】
主装置１０には、電話回線１１を終端制御する外線インターフェース部（以下、外線Ｉ／Ｆ部という）１２、有線の内線伝送路１７を介して無線電話機２０Ａ〜２０Ｎとデータ伝送を行う内線インターフェース部（以下、内線Ｉ／Ｆ部という）１３、これら外線Ｉ／Ｆ部１２と内線Ｉ／Ｆ部１３との間を交換接続するスイッチ１４、主装置１０の各部を制御して、電話回線１１と各無線電話機２０Ａ〜２０Ｎの呼制御を行う制御部１５、および制御部１５での制御に必要な情報、例えば各親機および無線子機４０のシステムＩＤを管理するＩＤ管理テーブル１６Ａや親機や子機の動作状態を示す管理情報１６Ｂと、プログラムとを記憶する記憶部１６が設けられている。
【００２２】
特に、制御部１５は、ＣＰＵなどのマイクロプロセッサを有し、記憶部１６のプログラムを読み込んで実行することにより、上記ハードウェアと協働して各種機能手段を実現する。
この機能手段としては、受信した親機３０からの通知に基づき、無線子機４０が異なる親機に誤載置されたことを検出する誤載置検出手段、任意の無線子機４０が未使用状態であることを確認する状態確認手段、および任意の親機３０のシステムＩＤあるいはその無線子機のシステムＩＤの変更を指示するＩＤ変更指示手段がある。
【００２３】
図２に親機３０（３０Ａ，３０Ｂ〜３０Ｎ）の構成例を示す。親機３０には、内線インターフェース部（以下、内線Ｉ／Ｆ部という）３１、無線インターフェース部（以下、無線Ｉ／Ｆ部という）３２、音声処理部３３、表示部３４、キー入力部３５、記憶部３６、給電部３７、載置検出部３８、および親機制御部３９が設けられている。
内線Ｉ／Ｆ部３１は、内線伝送路１７を介して主装置１０とデータ伝送を行う回路部である。無線Ｉ／Ｆ部３２は、無線回線を介して無線子機４０（４０Ａ，４０Ｂ〜４０Ｎ）とデータ通信を行う回路部である。音声処理部３３は、親機３０で無線子機すなわちハンドセットを用いずに通話を行うためのスピーカホン機能や各種報知音の生成機能を有する回路部である。
【００２４】
表示部３４は、データ伝送で主装置１０から受け取った指示に基づきＬＥＤやＬＣＤを制御して各種表示を行う回路部である。キー入力部３５は、利用者によるキー操作を検出する回路部である。記憶部３６は、自装置で用いるシステムＩＤを管理するＩＤ管理テーブル３６Ａのほか、親機制御部３９での処理動作に用いる各種情報やプログラムを記憶するメモリである。給電部３７は、充電端子３７Ａを介して電気的に接続された無線子機４０の電池を充電するための電力を供給する回路部である。載置検出部３８は当該親機３０に対する無線子機４０の載置有無を検出する回路部である。親機制御部３９は、ＣＰＵなどのマイクロプロセッサを有し、記憶部３６のプログラムを読み込んで実行することにより、上記ハードウェアと協働して親機３０の各部を制御する機能部である。
【００２５】
図３に無線子機４０の構成例を示す。無線子機４０には、無線インターフェース部（以下、無線Ｉ／Ｆ部という）４１、音声処理部４２、電池４３、充電部４４、状態検出部４５、記憶部４６、表示部４７、キー入力部４８、および無線子機制御部４９が設けられている。
無線Ｉ／Ｆ部４１は、無線回線を介して親機３０とデータ通信を行う回路部である。音声処理部４２は、スピーカやマイク（図示せず）を用いた音声通話機能や各種報知音の生成機能を有する回路部である。電池４３は無線子機４０の各部で用いる動作電源を蓄電する回路部である。充電部４４は、充電端子４４Ａを介して親機３０から供給された電力を電池４３へ充電する回路部である。状態検出部４５は、当該無線子機４０のオンフック／オフフックの状態すなわち載置状態を検出する回路部である。
【００２６】
記憶部４６は、自装置で用いるシステムＩＤを管理するＩＤ管理テーブル４６Ａのほか、無線子機制御部４９での処理動作に用いる各種情報やプログラムを記憶するメモリである。表示部４７は、データ通信で親機３０から受け取った指示に基づきＬＥＤやＬＣＤを制御して各種表示を行う回路部である。キー入力部４８は、利用者によるキー操作を検出する回路部である。無線子機制御部４９は、ＣＰＵなどのマイクロプロセッサを有し、記憶部４６のプログラムを読み込んで実行することにより、上記ハードウェアと協働して無線子機４０の各部を制御する機能部である。
【００２７】
状態検出部４５については、公知技術として、親機３０に対する無線子機４０の載置により機械的に動作する例えばフックスイッチ、あるいは電気的に動作するフォトインタラプタなど、一般的なスイッチで実現される例もあり、載置検出部３８でも同様のスイッチを用いてもよい。
また、状態検出部４５として、親機３０と無線子機４０との間で充電動作に用いる充電端子３７Ａと充電端子４４Ａとの電気的接続を検出する例もあり、載置検出部３８でも同様に電気的接続を検出するようにしてもよい。
【００２８】
この場合、充電端子３７Ａと充電端子４４Ａとの電気的接続により変化する電気量、例えば電流値や電圧値を、給電部３７や充電部４４から取り込み、その変化に応じて、親機３０に対する無線子機４０の載置有無を検出してもよい。
なお、無線子機４０の電池４３が満充電状態となった場合、親機３０から無線子機４０に対する充電電力はゼロとなる。したがって、例えば充電端子３７Ａ，４４Ａ間に常時所定値以上の電流を流しておく、あるいは所定の電位を印加しておくことにより、満充電状態であっても充電端子３７Ａと充電端子４４Ａとの電気的接続の有無を検出してもよい。
【００２９】
図４にＩＤ管理テーブルの構成例を示す。図４（ａ）は主装置１０のＩＤ管理テーブル１６Ａである。ここでは、無線電話機２０ごとのＩＤ管理テーブルとして、当該親機のシステムＩＤを示す親機ＩＤ６１、当該無線子機で使用可能なシステムＩＤを示す無線子機ＩＤ６２、無線子機ＩＤ６２のうち現在使用しているシステムＩＤを示す現用ＩＤ６３、および当該親機における複数のシステムＩＤの共用有無を示すＩＤ共用６４が管理されている。
無線子機ＩＤ６２には、システム初期状態において当該親機と対として設定された正規の無線子機との間で用いるマスタＩＤ「マスタ」が１つと、他の親機の無線子機との間で用いるサブＩＤ「サブ１」，「サブ２」が２つ用意されている。
【００３０】
図４（ｂ）は親機３０のＩＤ管理テーブル３６Ａである。ここでは、当該親機のＩＤ管理テーブルとして、当該親機のシステムＩＤを示す親機ＩＤ７０、当該親機の正規の無線子機との間で用いるシステムＩＤを示すマスタＩＤ７１、他の親機の無線子機との間で用いるシステムＩＤを示すサブＩＤ７２、現在使用しているシステムＩＤを示す現用ＩＤ７３、システムＩＤ変更直前に使用していたシステムＩＤを示す直前ＩＤ７４が管理されている。
図４（ｃ）は無線子機４０のＩＤ管理テーブル４６Ａである。ここでは、当該無線子機のＩＤ管理テーブルとして、当該無線子機の正規の親機との間で用いるシステムＩＤを示すマスタＩＤ８０、他の親機との間で用いるシステムＩＤを示すサブＩＤ８１、および現在使用しているシステムＩＤを示す現用ＩＤ８２が管理されている。
【００３１】
次に、図５〜図７を参照して、本実施の形態にかかる電話システムの動作について、誤載置状態にある親機への呼処理を例として説明する。図５は本実施の形態にかかる電話システムの動作（誤載置に応じたシステムＩＤ変更処理）を示すシーケンス図である。図６は無線子機の誤載置例である。図７は図６における各ＩＤ管理テーブルの遷移例である。
【００３２】
まず、利用者が、無線子機４０Ａと予め対として設定されている親機３０Ａ以外の親機３０Ｂへ、無線子機４０Ａを誤載置した場合（ステップ１００）、無線子機４０Ａの無線子機制御部４９は、状態検出部４５からの出力によりオフフックを検出し（ステップ１０１）、その旨を無線Ｉ／Ｆ部４１から無線回線を介して親機３０Ａへ通知する（ステップ１０２）。
このとき、無線子機制御部４９は、ＩＤ管理テーブル４６Ａで管理している自己のマスタＩＤ８０および現用ＩＤ８２の内容も親機３０Ａへ通知する。ここでは、マスタＩＤとして「ａ」が通知され、現用ＩＤとして「ａ」が通知される。
【００３３】
親機３０Ａの親機制御部３９は、無線Ｉ／Ｆ部３２を介して無線子機４０Ａからのオフフック検出の通知を受信し、内線Ｉ／Ｆ部３１から内線伝送路１７を介して主装置１０へ子機オフフック検出を通知する（ステップ１０３）。このとき、無線子機４０ＡからのマスタＩＤおよび現用ＩＤも主装置１０へ通知する。
一方、親機３０Ｂの親機制御部３９は、載置検出部３８により任意の無線子機４０が載置されたことを載置ありとして検出し（ステップ１０４）、内線Ｉ／Ｆ部３１から内線伝送路１７を介して主装置１０へその載置あり検出を通知する（ステップ１０５）。このとき、親機制御部３９は、ＩＤ管理テーブル３６Ａで管理している自己の親機ＩＤ７０も主装置１０へ通知する。ここでは、親機ＩＤとして「Ｂ」が通知される。
【００３４】
主装置１０の制御部１５では、内線Ｉ／Ｆ部１３を介して、親機３０Ａからの子機オフフック通知、および親機３０Ｂからの載置あり検出通知をそれぞれ受信し、これら通知元無線電話機の一致／不一致に基づき誤載置の有無を検出する（ステップ１１０：誤載置検出手段）。
この場合、いずれか一方の通知と、その一方の通知が受信された時点から所定時間差以内に受信された他方の通知とを組として比較を行う。すなわち所定時間差以内で続けて受信された子機オフフック通知と載置なし検出通知とを比較対象とする。これにより、他の通知の組と区別できる。なお、この所定時間差は、両通知の到着時間差を許容する値として当該電話システムごとに設定すればよい。
【００３５】
この例では、子機オンフック検出通知に含まれる現用ＩＤが無線電話機２０Ａに属する無線子機を示し、載置あり検出通知に含まれる親機ＩＤが無線電話機２０Ｂに属する親機を示していることから、両者の通知元は不一致となり、誤載置が検出される（ステップ１１０：ＹＥＳ）。
なお、各親機３０との間の内線伝送路１７の内線Ｉ／Ｆ部１３での収容位置は、各親機３０ごとに個別である。したがって、各通知を受信した収容位置に基づき、それぞれの通知の通知元を判定してもよい。
【００３６】
次に、制御部１５は、記憶部１６の管理情報１６Ｂを参照して、載置あり検出通知の通知元親機３０Ｂと対となる無線子機４０Ｂの動作状態を確認する（ステップ１１１：状態確認手段）。なお、管理情報１６Ｂは、制御部１５が各親機３０や無線子機４０を異なる動作状態へ制御した時点で逐次更新される。
ここで、無線子機４０Ｂの動作状態が未使用状態であると確認された場合には（ステップ１１１：ＹＥＳ）、親機３０Ｂと無線子機４０Ｂとの間で無線回線が現在使用されておらず、親機３０ＢのシステムＩＤを変更してもその無線回線の切断はないと判断する。
【００３７】
次に、制御部１５は、親機３０Ｂと無線子機４０Ａとの間で用いる新たなシステムＩＤを選択する（ステップ１１２：ＩＤ変更指示手段）。ここでは、記憶部１６のＩＤ管理テーブル１６Ａを参照して、載置あり検出通知の通知元である無線電話機２０Ｂで使用可能な無線子機ＩＤ６２のうち、現用ＩＤ６３およびＩＤ共用６４の内容を考慮して、現在使用されていないサブＩＤを新たなシステムＩＤとして所定の優先順序で選択する。
図４（ａ）の例では、現在、マスタＩＤ「ｂ」のみが使用されていることから、サブＩＤのうち若番のサブ１「ｂ１」を新たなシステムＩＤとして選択する。なお、サブ１が使用されている場合にのみサブ２「ｂ２」が選択される。
【００３８】
そして、内線Ｉ／Ｆ部１３から内線伝送路１７を介して親機３０Ａへ、無線子機４０ＢのシステムＩＤを新たなシステムＩＤ「ｂ１」へ変更するよう、子機ＩＤ変更を指示する（ステップ１１３：ＩＤ変更指示手段）。
親機３０Ａの親機制御部３９は、内線Ｉ／Ｆ部３１を介して主装置１０からの子機ＩＤ変更指示を受信し、この指示を、無線Ｉ／Ｆ部３２から無線回線を介して無線子機４０Ａへ送信する（ステップ１１４）。このとき、親機制御部３９では、無線子機４０Ａとの無線通信を回復できるよう自己のシステムＩＤは変更せず、ここでは「ａ」のままとする。
【００３９】
無線子機４０Ａの無線子機制御部４９では、無線Ｉ／Ｆ部４１を介して親機３０Ａからの子機ＩＤ変更指示を受信し、この指示に含まれる新たなシステムＩＤを、記憶部４６内のＩＤ管理テーブル４６ＡのサブＩＤ８１に設定するとともに、現用ＩＤ８２を「サブ」と設定する（ステップ１１５）。
これにより、無線子機４０ＡのシステムＩＤは、元の「ａ」から親機３０Ｂと無線通信可能な「ｂ１」に変更される。
【００４０】
また、制御部１５は、子機ＩＤ変更指示と並行して、内線Ｉ／Ｆ部１３から内線伝送路１７を介して親機３０Ｂへ、システムＩＤを新たなシステムＩＤ「ｂ１」へ変更するよう、親機ＩＤ変更を指示する（ステップ１１６）。
親機３０Ｂの親機制御部３９では、内線Ｉ／Ｆ部３１を介して主装置１０からの親機ＩＤ変更指示を受信し、記憶部３６内のＩＤ管理テーブル３６Ａのうち、現用ＩＤ７３で示される現用のシステムＩＤ、ここではマスタＩＤ「ｂ」を直前ＩＤ７４へ設定した後、指示された新たなシステムＩＤ「ｂ１」をサブＩＤ７１に設定するとともに、現用ＩＤ７３を「サブ」と設定する（ステップ１１７）。
【００４１】
これにより、親機３０ＢのシステムＩＤは、元の「ｂ」から新たなシステムＩＤ「ｂ１」に変更され、親機３０Ｂと無線子機４０Ａとの間で無線通信可能となる。
この後、主装置１０の制御部１５は、記憶部１６のＩＤ管理テーブル１６Ａのうち、無線電話機２０Ｂの親機３０Ｂの現用ＩＤ６３を新たなシステムＩＤを示す「サブ１：ｂ１」に変更し、親機３０Ｂで使用されているシステムＩＤを更新する（ステップ１１８）。
【００４２】
このように、主装置で、異なる親機に対する無線子機の誤載置が検出された場合には、その誤載置された親機と対をなす無線子機の使用状態を確認し、その無線子機が未使用状態であると確認された場合にのみ、これら無線子機および親機のシステムＩＤを新たなシステムＩＤへ変更するようにしたので、複数の無線電話機を内線電話機として複数の利用者で共用するような場合でも、使用中の無線回線を強制切断することなく、誤載置のあった親機および無線子機のシステムＩＤを変更して、その無線子機が当該親機の無線子機として使用可能とすることができる。
【００４３】
また、無線子機に、親機への当該無線子機の載置をオンフック状態として検出する状態検出部を設けるとともに、親機に、当該親機への無線子機の載置有無を検出する載置検出部を設け、状態検出部でのオフフック検出および載置検出部での載置あり検出を主装置へ通知し、主装置で、その載置あり検出通知と子機オンフック検出通知との通知元の不一致に応じて、異なる親機に対する無線子機の誤載置を検出するようにしたので、誤載置のあった親機と無線子機との間で誤載置確認のためのデータ通信を行うことなく、比較的簡素な構成で容易に誤載置を検出できる。
【００４４】
なお、ステップ１１１で、無線子機４０Ａが通話中、通信中、着信中、発信中など無線回線が用いられる使用中状態にある場合には（ステップ１１１：ＮＯ）、システムＩＤの変更を中止してもよく、あるいは無線子機４０Ａが未使用状態となるまで待機し、未使用状態が確認された時点で、システムＩＤの変更を行うようにしてもよい。
【００４５】
次に、図８〜図１０を参照して、本発明の第２の実施の形態にかかる電話システムの動作として、システムＩＤ変更後の無線子機が放置された場合の処理動作について説明する。図８は本実施の形態にかかる電話システムの動作（システムＩＤ変更後の無線子機の放置対応）を示すシーケンス図である。図９は無線子機の誤載置例である。図１０は図８における各ＩＤ管理テーブルの遷移例である。
【００４６】
まず、前述したように、親機３０Ｂへの無線子機４０Ａの誤載置に応じて、これら親機３０Ｂおよび無線子機４０ＡのシステムＩＤが「ｂ１」に変更され、両者間で無線通信可能な状態にあるものとする。
この状態で、電話回線１１から無線電話機２０Ｂ宛の着信が、主装置１０の外線Ｉ／Ｆ部１２で検出された場合（ステップ１２０）、制御部１５から内線Ｉ／Ｆ部１３および内線伝送路１７を介して、親機３０Ｂへ着信が通知される（ステップ１２１）。これに応じて、親機３０Ｂの親機制御部３９では、音声処理部３３を制御して着信音を送出するとともに、表示部３４を制御してＬＥＤやＬＣＤで着信を表示する（ステップ１２２）。
【００４７】
利用者が、親機３０Ｂへの着信に応答するため、その親機３０Ｂに載置されている無線子機４０Ａを取り上げた場合、無線子機４０Ａの無線子機制御部４９では、状態検出部４５からの出力に応じてオフフックを検出し（ステップ１２３）、無線Ｉ／Ｆ部４１から無線回線を介して親機３０Ｂへオフフック検出を通知する（ステップ１２４）。
親機３０Ｂの親機制御部３９は、無線Ｉ／Ｆ部３２を介して無線子機４０Ａからのオフフック検出通知を受信し、内線Ｉ／Ｆ部３１から内線伝送路１７を介して主装置１０へ子機オフフック検出を通知する（ステップ１２５）。
【００４８】
主装置１０の制御部１５は、内線Ｉ／Ｆ部１３を介して受信した親機３０Ｂからの子機オフフック検出通知に応じて、当該親機３０Ｂへ着信中であることから、その子機オフフック検出通知が着信への応答操作であると判断する。そして、外線Ｉ／Ｆ部１２を制御してその着信中の電話回線１１に応答して、スイッチ１４を制御してその電話回線１１の通話パスと親機３０Ｂの通話パスとを接続するとともに（ステップ１２６）、内線Ｉ／Ｆ部１３を介して親機３０Ｂへ回線接続を指示する（ステップ１２７）。
【００４９】
これに応じて、親機３０Ａの親機制御部３９は、着信表示を停止して、無線Ｉ／Ｆ部３２から無線子機４０Ａへ回線接続を通知し（ステップ１２８）、無線回線を介して無線子機４０Ａとの間で通話パスを形成するとともに、その通話パスを主装置１０との間の通話パスと接続する。
これにより、無線電話機２０Ｂへの着信に対応する電話回線１１から無線子機４０Ａまでの通話パスが接続され、当該個別着信の発呼側と無線子機４０Ａとの通話が開始される（ステップ１２９）。
【００５０】
その後、相手との通話が終了して、利用者が無線子機４０Ａを親機３０Ｂに載置せず、無線子機４０Ａのボタンにより終話操作を行った場合、無線子機４０Ａの無線子機制御部４９は、キー入力部４８からの出力に基づきオンフックを検出する（ステップ１３０）。そして、無線Ｉ／Ｆ部４１から無線回線を介して親機３０Ｂへ、オンフック検出が通知される（ステップ１３１）。
このとき、無線子機制御部４９は、ＩＤ管理テーブル４６Ａで管理している自己のマスタＩＤ８０および現用ＩＤ８２も親機３０Ａへ通知する。ここでは、マスタＩＤとして「ａ」が通知され、現用ＩＤとして「ｂ１」が通知される。
【００５１】
親機３０Ａの親機制御部３９は、無線Ｉ／Ｆ部３２を介して無線子機４０Ａからのオフフック検出の通知を受信し、内線Ｉ／Ｆ部３１から内線伝送路１７を介して主装置１０へ子機オフフック検出を通知する（ステップ１３２）。このとき、無線子機４０ＡからのマスタＩＤおよび現用ＩＤも主装置１０へ通知する。
なお、親機３０Ｂでは、無線子機４０Ａが載置されなかったことから載置検出部３８の出力は載置なしのままとなる。このため親機制御部３９から主装置１０へ載置あり検出は通知されない。
【００５２】
主装置１０の制御部１５は、親機３０Ｂからの子機オンフック検出通知に応じて、外線Ｉ／Ｆ部１２を制御することにより当該通話に対応する電話回線１１を切断するとともに、スイッチ１４を制御して親機３０Ａへの通話パスを切断して終話処理する（ステップ１３３）。また、親機３０Ａに対して回線解放を通知する（ステップ１３４）。
親機３０Ａの親機制御部３９では、この終話通知に応じて無線子機４０Ａへ回線解放を通知し（ステップ１３５）、無線子機４０Ａとの通話パスを切断するとともに、主装置１０との通話パスも切断する。
【００５３】
また、主装置１０の制御部１５は、上記子機オンフック検出通知に対応する親機３０Ｂからの載置あり検出通知の受信有無を確認する（ステップ１４０）。ここで、当該子機オンフック検出通知から所定時間差以内に載置あり検出通知が受信されなかった場合には（ステップ１４０：ＮＯ）、子機オンフック検出通知元の無線子機４０Ａがいずれの親機３０にも載置されずに未使用状態で放置されたと判断する（ステップ１４１）。
これに応じて、制御部１５は、記憶部１６のＩＤ管理テーブル１６Ａを参照して、それまで無線子機４０Ａと対となっていた親機３０ＢのマスタＩＤと、上記子機オンフック検出通知で通知された無線子機４０ＡのマスタＩＤとを比較する（ステップ１４２）。
【００５４】
そして、これらマスタＩＤが不一致の場合には（ステップ１４２：ＮＯ）、その親機３０Ｂが無線子機４０Ａと対をなす前に対をなしていた無線子機を共用するよう親機３０Ｂへ指示する（ステップ１４３）。
これに応じて、親機３０Ｂの親機制御部３９は、ＩＤ管理テーブル３６Ａの現用ＩＤ７３を「共用」に設定し、サブＩＤ７２に設定されている無線子機４０Ａ用のシステムＩＤ「ｂ１」と、直前ＩＤ７４に設定されているシステムＩＤ「ｂ」の両方を利用する。これにより、親機３０Ｂは、無線子機４０Ａと無線子機４０Ｂの両方で利用される。
【００５５】
このように、無線子機がいずれの親機にも載置されずに未使用状態で放置された場合は、その無線子機と対をなす親機と当該無線子機の直前に対をなしていた直前無線子機のシステムＩＤを、その親機で使用可とするようにしたので、無線子機の放置によりその親機が使用不可状態となることを回避できる。
この際、直前の無線子機のシステムＩＤを、放置された無線子機のシステムＩＤとともにその親機で共用するようにしたので、放置された無線子機でもその親機を使用できる。
【００５６】
次に、図１１〜図１３を参照して、本発明の第３の実施の形態にかかる電話システムの動作として、変更されたシステムＩＤの初期化動作について説明する。図１１は本実施の形態にかかる電話システムの動作（システムＩＤの初期化動作）を示すシーケンス図である。図１２は無線子機の誤載置例である。図１３は図１１における各ＩＤ管理テーブルの遷移例である。
【００５７】
前述した第２の実施の形態のように、元の無線子機４０Ｂが親機３０Ｂで使用可能となった状態で、親機３０Ｂに正常載置された場合（ステップ１５０）、親機３０Ｂの親機制御部３９では、載置検出部３８により任意の無線子機４０の載置ありを検出し（ステップ１５１）、主装置１０へ通知する（ステップ１５２）。
一方、無線子機４０Ｂの無線子機制御部４９は、状態検出部４５により任意の親機４０へ載置されてオンフック状態となったことを検出し（ステップ１５３）、親機３０Ｂへオンフック検出を通知する（ステップ１５４）。このとき、ＩＤ管理テーブル４６Ａを参照して、そのマスタＩＤおよび現用ＩＤも通知する。そして、親機３０Ｂの親機制御部３９は、そのオンフック検出通知を子機オンフック検出として主装置１０へ通知する（ステップ１５５）。
【００５８】
主装置１０の制御部１５は、これら載置あり検出通知および子機オンフック検出通知に応じて、記憶部１６のＩＤ管理テーブル１６Ａを参照し、当該親機３０ＢがシステムＩＤの共用状態にあり、かつ当該親機３０ＢのマスタＩＤと子機オンフック検出通知で通知された無線子機４０ＢのマスタＩＤが一致するかどうか確認する（ステップ１６０）。
ここで、システムＩＤが共用状態にあり、かつ両マスタＩＤが一致した場合は、システム初期状態で対として設定された正規の無線子機４０Ｂが当該親機３０Ｂへ戻されたと判断して、制御部１５は、親機３０Ｂに対してマスタＩＤリセットを指示する（ステップ１６１：ＩＤ変更指示手段）。
【００５９】
これに応じて、親機３０Ｂの親機制御部３９は、記憶部３６のＩＤ管理テーブル３６Ａのうち、サブＩＤ７２および直前ＩＤ７４を「空」と設定するとともに、現用ＩＤを「マスタ」と設定することにより、自己のシステムＩＤをマスタＩＤに初期化する（ステップ１６２）。
そして、主装置１０の制御部１５は、ＩＤ管理テーブル１６Ａのうち、親機３０ＢのＩＤ共用６４を「無」に設定するとともに、現用ＩＤ６３を「マスタ」と設定する（ステップ１６３）。
【００６０】
このように、無線子機の共用状態にある親機への載置に応じた載置あり検出通知および子機オンフック検出通知に基づき、当該親機および無線子機のマスタＩＤが一致した場合は、当該親機に対して共用状態を解除してマスタＩＤへのシステムＩＤ変更を指示するようにしたので、システム初期状態で対として設定された正規の無線子機４０Ｂが当該親機３０Ｂへ戻された場合には、その親機のシステムＩＤを当初のマスタＩＤへ自動的に初期化することができる。したがって、親機３０のシステムＩＤが変遷しても、正規の無線子機が載置された時点でシステムＩＤが初期化され、システムＩＤ管理の複雑化を抑制できる。
【００６１】
なお、以上では、内線電話機として無線電話機２０Ａ〜２０Ｎが主装置１０に接続されている場合を例として説明したが、これら無線電話機以外に一般的な内線電話機が接続されている電話システムにも、上記と同様にして、本発明を実施することができる。
また、電話回線１１としては、アナログ電話回線に限定されるものではなく、ＩＳＤＮ回線のほか、ＶｏＩＰ回線を外線Ｉ／Ｆ部１２で終端接続する電話システムであってもよい。
【００６２】
【発明の効果】
以上説明したように、本発明は、網からの電話回線に接続された主装置と、この主装置に内線伝送路を介して収容された複数の内線電話機とを備えるとともに、内線電話機として、主装置に内線伝送路を介して収容される親機と無線回線を介して対となる親機に接続される無線子機とからなり、対となる親機および無線子機間で個別のシステムＩＤを用いて無線通信を行うとともに、親機に無線子機を載置する載置場所が設けられた無線電話機を複数有し、電話回線と内線電話機との間を主装置で交換接続する電話システムであって、親機に、主装置からの指示に応じて自己のシステムＩＤを変更するとともに、主装置からの指示に応じて対となる無線子機へシステムＩＤの変更を指示する親機制御部を設け、無線子機に、対となる親機からの指示に応じて自己のシステムＩＤを変更する無線子機制御部を設けたものである。
【００６３】
したがって、複数の無線電話機を内線電話機として複数の利用者で共用するような場合でも、使用中の無線回線を強制切断することなく、誤載置のあった親機および無線子機のシステムＩＤを変更して、その無線子機が当該親機の無線子機として使用可能とすることができる。
【図面の簡単な説明】
【図１】本発明の第１の実施の形態にかかる電話システムの構成を示すブロック図である。
【図２】親機の構成を示すブロック図である。
【図３】無線子機の構成を示すブロック図である。
【図４】ＩＤ管理テーブルの構成例である。
【図５】本発明の第１の実施の形態にかかる電話システムの動作（誤載置に応じたシステムＩＤ変更処理）を示すシーケンス図である。
【図６】無線子機の誤載置例である。
【図７】図６における各ＩＤ管理テーブルの遷移例である。
【図８】本発明の第２の実施の形態にかかる電話システムの動作（システムＩＤ変更後の無線子機の放置対応）を示すシーケンス図である。
【図９】無線子機の誤載置例である。
【図１０】図８における各ＩＤ管理テーブルの遷移例である。
【図１１】本発明の第３の実施の形態にかかる電話システムの動作（システムＩＤの初期化動作）を示すシーケンス図である。
【図１２】無線子機の誤載置例である。
【図１３】図１１における各ＩＤ管理テーブルの遷移例である。
【図１４】従来の電話システムの動作（誤載置）を示すシーケンス図である。
【図１５】従来のシステムＩＤ設定方法を示すシーケンス図である。
【符号の説明】
１０…主装置、１１…電話回線、１２…外線Ｉ／Ｆ部、１３…内線Ｉ／Ｆ部、１４…スイッチ、１５…制御部、１６…記憶部、１６Ａ…ＩＤ管理テーブル、１６Ｂ…管理情報、１７…内線伝送路、２０，２０Ａ，２０Ｂ，〜，２０Ｎ…無線電話機、３０，３０Ａ，３０Ｂ，〜，３０Ｎ…親機、３１…内線Ｉ／Ｆ部、３２…無線Ｉ／Ｆ部、３３…音声処理部、３４…表示部、３５…キー入力部、３６…記憶部、３６Ａ…ＩＤ管理テーブル、３７…給電部、３７Ａ…充電端子、３８…載置検出部、３９…親機制御部、４０，４０Ａ，４０Ｂ，〜，４０Ｎ…無線子機、４１…無線Ｉ／Ｆ部、４２…音声処理部、４３…電池、４４…充電部、４４Ａ…充電端子、４５…状態検出部、４６…記憶部、４６Ａ…ＩＤ管理テーブル、４７…表示部、４８…キー入力部、４９…無線子機制御部。
【図１】
2004260538.tif 000003
【図２】
2004260538.tif 000004
【図３】
2004260538.tif 000005
【図４】
2004260538.tif 000006
【図５】
2004260538.tif 000007
【図６】
2004260538.tif 000008
【図７】
2004260538.tif 000009
【図８】
2004260538.tif 000010
【図９】
2004260538.tif 000011
【図１０】
2004260538.tif 000012
【図１１】
2004260538.tif 000013
【図１２】
2004260538.tif 000014
【図１３】
2004260538.tif 000015
【図１４】
2004260538.tif 000016
【図１５】
2004260538.tif 000017